(57)【要約】【課題】  電子部品が高密度で実装されたプリント基板に対して、容易且つ確実に端子を接続することができる電源装置の基板取付構造を提供する。【解決手段】  プリント基板１２の電極に形成されプリント基板１２を貫通する第一透孔１６を有する。プリント基板１２の電極が設けられた面に重ねて接続される端子２２と、端子２２に形成され、プリント基板１２の第一透孔１６に連通した第二透孔２４とを有する。プリント基板１２の電極が設けられた面と反対側の面に重ねられた取付板２６と、取付板２６に形成されプリント基板１２の第一透孔１６と端子２２の第二透孔２４に連通するネジ穴２８と、端子２２の方から差し込まれ第二透孔２４と第一透孔１６を通過して取付板２６のネジ穴２８に螺合される雄ネジ３２を備える。取付板２６には、プリント基板１２側に突出する差込突起３０が設けられ、プリント基板１２の取付孔２０に、差込突起３２が固定されて成る。【選択図】      図１
2005026601.tif 000002
【特許請求の範囲】
【請求項１】
回路が形成されたプリント基板と、プリント基板に設けられた電極に形成され上記プリント基板を貫通する第一透孔と、上記プリント基板の上記電極が設けられた面に重ねて接続される端子と、上記端子に形成され上記プリント基板の上記第一透孔に連通した第二透孔と、上記プリント基板の上記電極が設けられた面と反対側の面に重ねられた取付板と、上記取付板に形成され上記プリント基板の上記第一透孔と上記端子の上記第二透孔に連通するネジ穴と、上記端子の方から差し込まれ上記第二透孔と上記第一透孔を通過して上記取付板の上記ネジ穴に螺合される雄ネジが設けられ、上記雄ネジにより上記プリント基板と上記端子が接続されていることを特徴とする電源装置の基板取付構造。
【請求項２】
上記取付板には、上記プリント基板側に突出する差込突起が設けられ、上記プリント基板には、上記差込突起が差し込まれる取付孔が形成され、上記差込突起が上記取付孔に固定されて成ることを特徴とする請求項１記載の電源装置の基板取付構造。
【請求項３】
上記プリント基板の回路パターンが上記取付孔に繋がっており、上記差込突起は上記取付孔に嵌合されて、導電性の固定手段により固定されていることを特徴とする請求項２記載の電源装置の基板取付構造。
【発明の詳細な説明】
【技術分野】
【０００１】
この発明は、所定の出力電力を供給する電源装置の基板取付構造に関する。
【背景技術】
【０００２】
従来の電源装置は、図４に示すように、所定形状の回路が印刷形成されたプリント基板１に、半導体や抵抗体、コイル等の電子部品２が実装されている。プリント基板１に形成された電極部分には、板状の端子３を取り付ける透孔４が形成されている。端子３には透孔４に連通するネジ穴５が形成されている。そして、端子３を電極に重ねて、基板１側から雄ネジ６を差し込み、ドライバ７で雄ネジ６をまわして端子３のネジ穴５に螺合させ、基板１と端子３を電気的、機械的に接続している。
【０００３】
【特許文献１】実開平５−９７０６４号公報
【発明の開示】
【発明が解決しようとする課題】
【０００４】
上記従来の技術の場合、プリント基板１の表面側から雄ネジ６を差し込み、ドライバ７で雄ねじ６を回すため、プリント基板１のネジ止め箇所周辺に、ドライバ７が入るスペースが必要であり、高密度に電子部品２をプリント基板１に実装することができないと言う問題があった。また、電子部品２が密集している個所では、ネジ止めができないため、他の連結方法が求められていた。
【０００５】
この発明は上記従来の問題点に鑑みてなされたものであり、電子部品が高密度で実装されたプリント基板に対して、容易且つ確実に端子を接続することができる電源装置の基板取付構造を提供することを目的とする。
【課題を解決するための手段】
【０００６】
この発明は、回路が形成されたプリント基板と、プリント基板に設けられた電極に形成され上記プリント基板を貫通する第一透孔と、上記プリント基板の上記電極が設けられた面に重ねて接続される端子と、上記端子に形成され上記プリント基板の上記第一透孔に連通した第二透孔と、上記プリント基板の上記電極が設けられた面と反対側の面に重ねられた取付板と、上記取付板に形成され上記プリント基板の上記第一透孔と上記端子の上記第二透孔に連通するネジ穴と、上記端子の方から差し込まれ上記第二透孔と上記第一透孔を通過して上記取付板の上記ネジ穴に螺合される雄ネジが設けられ、上記雄ネジにより上記プリント基板と上記端子が接続されている電源装置の基板取付構造である。
【０００７】
上記取付板には、上記プリント基板側に突出する差込突起が設けられ、上記プリント基板には、上記差込突起が差し込まれる取付孔が形成され、上記差込突起が上記取付孔に固定されて成る。さらに、上記プリント基板の回路パターンが上記取付孔に繋がっており、上記差込突起は上記取付孔に嵌合されて、ハンダや導電性塗料等の導電性の固定手段により固定されている。
【０００８】
この発明の電源装置の基板取付構造は、プリント基板に端子を取り付ける際に、回路が印刷された面の端子側からネジで止めることができるようにし、プリント基板面に実装された電子部品が障害とならずに簡単に端子とプリント基板とを接続するようにしたものである。
【発明の効果】
【０００９】
この発明の電源装置の取付構造は、電子部品が密集して実装されたプリント基板に、簡単で確実に端子を雄ねじにより取り付けて、接続固定することができる。これにより、プリント基板を省スペース化し電源装置を小型化することができる。
【発明を実施するための最良の形態】
【００１０】
以下、この発明の実施形態について図面に基づいて説明する。図１〜図３はこの発明の一実施形態を示すものであり、この実施形態の電源装置の基板取付構造１０は、所定パターンの回路が形成されたプリント基板１２に、半導体や抵抗体、コイル等の電子部品１４が実装されている。プリント基板１２に形成された電極部分には、後述する板状の端子２２を取り付ける第一透孔１６がプリント基板１２を貫通して形成されている。第一透孔１６の近傍には、後述する取付板２６の差込突起３０が差し込まれるスリット状の取付孔２０が形成されている。
【００１１】
プリント基板１２の電極が印刷された面には、板状の端子２２が重ねられて接続されている。端子２２には、プリント基板１２の第一透孔１６に連通する第二透孔２４が端子２２を貫通して形成されている。
【００１２】
プリント基板１２の電極が設けられた面と反対側の面には、導電性を有する金属性の取付板２６が重ねられて設けられている。取付板２６には、互いに連通するプリント基板１２の第一透孔１６と端子２２の第二透孔２４に連通するネジ穴２８が形成されている。取付板２６の一端部２６ａには、重ねられたプリント基板１２側へ突出する差込突起３０が形成されている。差込突起３０は、プリント基板１２の取付孔２０の内側に差し込まれ、ハンダ３４で固定されている。
【００１３】
そして雄ネジ３２が、端子２２の側から、端子２２の第二透孔２４とプリント基板１２の第一透孔１６を通過して、差し込まれている。雄ネジ３２の先端は取付板２６のネジ穴２８に螺合され、プリント基板１２と端子２２を連結している。また、プリント基板１２の回路パターンが取付孔２０に繋がっており、差込突起３０が取付孔２０に嵌合されハンダ３４で固定されることによっても、プリント基板１２の回路パターンと取付版２６が電気的に接続される。
【００１４】
この電源装置の基板取付構造１０の組み立ては、まず、プリント基板１２の回路が形成された面と反対側の面に取付板２６を重ね、プリント基板１２の取付孔２０に取付板２６の差込突起３０を差し込んで所定位置に合わせ、取付孔２０と差込突起３０をハンダ３４で固定し、回路パターンと取付板２６を接続する。そしてプリント基板１２の回路が印刷された面の電極に端子２２を重ね、第一透孔１６に第二透孔２４を合わせる。そして雄ネジ３２を端子２２の方から、端子２２の第二透孔２４とプリント基板１２の第一透孔１６を差し込み、取付板２６のネジ穴２８に螺合する。
【００１５】
この実施形態の電源装置の基板取付構造１０によれば、プリント基板１２に電子部品１４が密集して実装されていても、端子２２側からドライバで雄ネジ３２を回して簡単に端子２２を取り付け、接続することができる。従って、端子２２の取り付けは、プリント基板１２に実装された電子部品１４の位置や数に関わらず、簡単で確実に行われる。さらに、プリント基板１２に対して電子部品１４をより高密度に実装することができ、プリント基板の省スペース化が可能であり電源装置をより小型化することができる。
【００１６】
なお、この発明の電源装置の取付構造は、上記実施形態に限定されるものではなく、端子や取付板が設けられプリント基板の面は、必要な電極や回路パターンが形成されていれば良く、片面に回路パターンが形成された基板の他、両面に回路パターンや電極が形成された基板でも良い。また、取付板の形状や素材、差込突起の取付位置や数等、自由に変更可能である。取付板の、プリント基板への固定は、ハンダ以外に導電性接着剤等他の手段でもよい。また、上記取付孔はプリント基板表面の凹部等でもよい。
【図面の簡単な説明】
【００１７】
【図１】この発明の一実施形態の電源装置の基板取付構造の側面図である。
【図２】この実施形態の電源装置の基板取付構造の縦断面図である。
【図３】この実施形態の電源装置の基板取付構造の取付板の正面図（ａ）と右側面図（ｂ）である。
【図４】従来の電源装置の基板取付構造の側面図である。
【符号の説明】
【００１８】
１０  電源装置の基板取付構造
１２  プリント基板
１４  電子部品
１６  第一透孔
２０  取付孔
２２  端子
２４  第二透孔
２６  取付板
２８  ネジ穴
３０  差込突起
３２  雄ネジ
３４  ハンダ
【図１】
2005026601.tif 000003
【図２】
2005026601.tif 000004
【図３】
2005026601.tif 000005
【図４】
2005026601.tif 000006